(57)【要約】【課題】本発明は、非周期チャネル品質情報送信方法およびモバイル端末を提供する。本発明の方法は、シグナリングオーバーヘッドとフィードバックオーバーヘッドの軽減、チャネル情報フィードバックの次元数の増加、システムのスループット向上に有利である。【解決手段】モバイル端末とネットワーク側が、ダブルストリームビームの形成をサポートする１又は複数種類の伝送モードと、上記伝送モードに対応する非周期チャネル品質情報ＣＱＩフィードバックモードとを予め特定し、ネットワーク側が、モバイル端末が利用すべき、予め特定された１つの伝送モードを指示し、上記モバイル端末が、上記予め特定された１つの伝送モードを利用する旨の指示を受信すると、上記予め特定された１つの伝送モードに対応する非周期ＣＱＩフィードバックモードを用いてＣＱＩ情報を上記ネットワーク側にフィードバックする。【選択図】図１
2012525020.tif 000002
【特許請求の範囲】
【請求項１】
モバイル端末とネットワーク側が、ダブルストリームビームの形成をサポートする１又は複種類の伝送モードと、上記伝送モードに対応する非周期チャネル品質情報ＣＱＩフィードバックモードとを予め特定し、
ネットワーク側が、モバイル端末にその利用すべき、予め特定された１つの伝送モードを指示し、
上記モバイル端末が、上記予め特定された１つの伝送モードを利用する旨の指示を受信すると、上記予め特定された１つの伝送モードに対応する非周期ＣＱＩフィードバックモードを用いてＣＱＩ情報を上記ネットワーク側にフィードバックする、ことを特徴とする非周期チャネル品質情報送信方法。
【請求項２】
前記ＣＱＩ情報を上記ネットワーク側にフィードバックするステップにおいて、
上記モバイル端末は、さらに、上記予め特定された１つの伝送モードに対応する非周期ＣＱＩフィードバックモードを用いてプリコーディング情報ＰＭＩを上記ネットワーク側にフィードバックする、請求項１に記載の非周期チャネル品質情報送信方法。
【請求項３】
上記モバイル端末が上記予め特定された１つの伝送モードに対応する非周期ＣＱＩフィードバックモードを用いてプリコーディング情報ＰＭＩを上記ネットワーク側にフィードバックするステップは、
上記モバイル端末は、上記ネットワーク側が上りチャネルによりマルチアンテナ重み情報を取得できないと判定した場合、上記予め特定された１つの伝送モードに対応する非周期ＣＱＩフィードバックモードを用いてＰＭＩを上記ネットワーク側にフィードバックすることを含む、請求項２に記載の非周期チャネル品質情報送信方法。
【請求項４】
上記モバイル端末とネットワーク側が、ダブルストリームビームの形成をサポートする１又は複種類の伝送モードと、上記伝送モードに対応する非周期チャネル品質情報ＣＱＩフィードバックモードとを予め特定するステップは、
上記モバイル端末とネットワーク側は、伝送モード８が、プリコーディング情報のフィードバックが不要であるダブルストリームビームの形成をサポートすること、及び、上記伝送モード８の非周期ＣＱＩフィードバックモードがフィードバックモード２−０またはフィードバックモード３−０であることを予め特定することを含み、
上記予め特定された１つの伝送モードに対応する非周期ＣＱＩフィードバックモードを用いてＣＱＩ情報を上記ネットワーク側にフィードバックするステップは、
上記フィードバックモード２−０またはフィードバックモード３−０を用いて第１のストリームのＣＱＩ情報をフィードバックすることを含む、請求項１に記載の非周期チャネル品質情報送信方法。
【請求項５】
上記モバイル端末とネットワーク側が、ダブルストリームビームの形成をサポートする１又は複種類の伝送モードと、上記伝送モードに対応する非周期チャネル品質情報ＣＱＩフィードバックモードとを予め特定するステップは、
上記モバイル端末とネットワーク側は、伝送モード８が、プリコーディング情報のフィードバックが必要である、又はプリコーディング情報のフィードバックが不要であるダブルストリームビームの形成をサポートすること、及び、上記伝送モード８の非周期ＣＱＩフィードバックモードがフィードバックモード２−０、フィードバックモード３−０、フィードバックモード１−２、フィードバックモード２−２またはフィードバックモード３−１であることを予め特定することを含み、
上記予め特定された１つの伝送モードに対応する非周期ＣＱＩフィードバックモードを用いてＣＱＩ情報を上記ネットワーク側にフィードバックするステップは、
上記フィードバックモード２−０またはフィードバックモード３−０を用いて第１のストリームのＣＱＩ情報をフィードバックすること、或いは
上記フィードバックモード１−２、フィードバックモード２−２またはフィードバックモード３−１を用いて各ストリームのＣＱＩ情報、ランクＲＩ情報、ＰＭＩ情報をフィードバックすることを含む、請求項２に記載の非周期チャネル品質情報送信方法。
【請求項６】
上記モバイル端末とネットワーク側が、ダブルストリームビームの形成をサポートする１又は複種類の伝送モードと、上記伝送モードに対応する非周期チャネル品質情報ＣＱＩフィードバックモードとを予め特定するステップは、
上記モバイル端末とネットワーク側は、伝送モード８が、プリコーディング情報のフィードバックが不要であるダブルストリームビームの形成をサポートすること、伝送モード９が、プリコーディング情報のフィードバックが必要であるダブルストリームビームの形成をサポートすること、及び、上記伝送モード８の非周期ＣＱＩフィードバックモードがフィードバックモード２−０またはフィードバックモード３−０であること、上記伝送モード９の非周期ＣＱＩフィードバックモードがフィードバックモード１−２、フィードバックモード２−２またはフィードバックモード３−１であることを予め特定することを含み、
上記予め特定された１つの伝送モードに対応する非周期ＣＱＩフィードバックモードを用いてＣＱＩ情報を上記ネットワーク側にフィードバックするステップは、
上記フィードバックモード２−０またはフィードバックモード３−０を用いて第１のストリームのＣＱＩ情報をフィードバックすること、或いは
上記フィードバックモード１−２、フィードバックモード２−２またはフィードバックモード３−１を用いて各ストリームのＣＱＩ情報、ランクＲＩ情報、ＰＭＩをフィードバックすることを含む、請求項２に記載の非周期チャネル品質情報送信方法。
【請求項７】
上記モバイル端末とネットワーク側が、ダブルストリームビームの形成をサポートする１又は複種類の伝送モードと、上記伝送モードに対応する非周期チャネル品質情報ＣＱＩフィードバックモードとを予め特定するステップは、
上記モバイル端末とネットワーク側は、伝送モード８が、プリコーディング情報のフィードバックが必要であるダブルストリームビームの形成をサポートすること、伝送モード９が、プリコーディング情報のフィードバックが不要であるダブルストリームビームの形成をサポートすること、及び、上記伝送モード８の非周期ＣＱＩフィードバックモードがフィードバックモード１−２、フィードバックモード２−２またはフィードバックモード３−１であること、上記伝送モード９の非周期ＣＱＩフィードバックモードがフィードバックモード２−０またはフィードバックモード３−０であることを予め特定することを含み、
上記予め特定された１つの伝送モードに対応する非周期ＣＱＩフィードバックモードを用いてＣＱＩ情報を上記ネットワーク側にフィードバックするステップは、
上記フィードバックモード１−２、フィードバックモード２−２またはフィードバックモード３−１を用いて各ストリームのＣＱＩ情報、ランクＲＩ情報、ＰＭＩをフィードバックすること、或いは
上記フィードバックモード２−０またはフィードバックモード３−０を用いて第１のストリームのＣＱＩ情報をフィードバックすることを含む、請求項２に記載の非周期チャネル品質情報送信方法。
【請求項８】
上記モバイル端末とネットワーク側が、ダブルストリームビームの形成をサポートする１又は複種類の伝送モードと、上記伝送モードに対応する非周期チャネル品質情報ＣＱＩフィードバックモードとを予め特定するステップは、
上記モバイル端末とネットワーク側は、伝送モード４が、クローズドループ型多重化とプリコーディング情報のフィードバックが必要であるダブルストリームビームの形成とをサポートすること、伝送モード８が、プリコーディング情報のフィードバックが不要であるダブルストリームビームの形成をサポートすること、上記伝送モード４の非周期ＣＱＩフィードバックモードがフィードバックモード１−２、フィードバックモード２−２またはフィードバックモード３−１であること、及び、上記伝送モード８の非周期ＣＱＩフィードバックモードがフィードバックモード２−０またはフィードバックモード３−０であることを予め特定することを含み、
上記予め特定された１つの伝送モードに対応する非周期ＣＱＩフィードバックモードを用いてＣＱＩ情報を上記ネットワーク側にフィードバックするステップは、
上記フィードバックモード１−２、フィードバックモード２−２またはフィードバックモード３−１を用いて各ストリームのＣＱＩ情報、ランクＲＩ情報、ＰＭＩをフィードバックすること、或いは
上記フィードバックモード２−０またはフィードバックモード３−０を用いて第１のストリームのＣＱＩ情報をフィードバックすることを含む、請求項２に記載の非周期チャネル品質情報送信方法。
【請求項９】
上記モバイル端末とネットワーク側が、ダブルストリームビームの形成をサポートする１又は複種類の伝送モードと、上記伝送モードに対応する非周期チャネル品質情報ＣＱＩフィードバックモードとを予め特定するステップは、
上記モバイル端末とネットワーク側は、伝送モード３が、オープンループ型多重化とＰＭＩフィードバックが不要であるダブルストリームビームの形成とをサポートすること、伝送モード４が、クローズドループ型多重化とＰＭＩフィードバックが必要であるダブルストリームビームの形成をサポートすること、及び、上記伝送モード３の非周期ＣＱＩフィードバックモードがフィードバックモード２−０またはフィードバックモード３−０であること、上記伝送モード４の非周期ＣＱＩフィードバックモードがフィードバックモード１−２、フィードバックモード２−２またはフィードバックモード３−１であることを予め特定することを含み、
上記予め特定された１つの伝送モードに対応する非周期ＣＱＩフィードバックモードを用いてＣＱＩ情報を上記ネットワーク側にフィードバックするステップは、
上記フィードバックモード２−０またはフィードバックモード３−０を用いて第１のストリームのＣＱＩ情報をフィードバックすること、或いは
上記フィードバックモード１−２、フィードバックモード２−２またはフィードバックモード３−１を用いて各ストリームのＣＱＩ情報、ランクＲＩ情報、ＰＭＩをフィードバックすることを含む、請求項２に記載の非周期チャネル品質情報送信方法。
【請求項１０】
上記モバイル端末とネットワーク側が、ダブルストリームビームの形成をサポートする１又は複種類の伝送モードと、上記伝送モードに対応する非周期チャネル品質情報ＣＱＩフィードバックモードとを予め特定するステップは、
上記モバイル端末とネットワーク側は、伝送モード３が、オープンループ型多重化とＰＭＩフィードバックが不要であるダブルストリームビームの形成とをサポートすること、伝送モード８が、ＰＭＩフィードバックが必要であるダブルストリームビーム形成をサポートすること、及び、上記伝送モード３の非周期ＣＱＩフィードバックモードがフィードバックモード２−０またはフィードバックモード３−０であること、上記伝送モード８の非周期ＣＱＩフィードバックモードがフィードバックモード１−２、フィードバックモード２−２またはフィードバックモード３−１であることを予め特定することを含み、
上記予め特定された１つの伝送モードに対応する非周期ＣＱＩフィードバックモードを用いてＣＱＩ情報を上記ネットワーク側にフィードバックするステップは、
上記フィードバックモード２−０またはフィードバックモード３−０を用いて第１のストリームのＣＱＩ情報をフィードバックすること、或いは
上記フィードバックモード１−２、フィードバックモード２−２またはフィードバックモード３−１を用いて各ストリームのＣＱＩ情報、ランクＲＩ情報、ＰＭＩをフィードバックすることを含む、請求項２に記載の非周期チャネル品質情報送信方法。
【請求項１１】
非周期チャネル品質情報送信をサポートするモバイル端末であって、
ダブルストリームビームの形成をサポートする１または複種類の伝送モードと、上記伝送モードに対応する非周期チャネル品質情報ＣＱＩフィードバックモードとをネットワーク側と予め特定し、
ネットワーク側から、予め特定された１つの伝送モードを利用する旨の指示を受信した後、上記予め特定された１つの伝送モードに対応する非周期ＣＱＩフィードバックモードを用いてＣＱＩ情報を上記ネットワーク側にフィードバックするように配置されたことを特徴とするモバイル端末。
【請求項１２】
さらに、上記予め特定された１つの伝送モードに対応する非周期ＣＱＩフィードバックモードを用いてプリコーディング情報ＰＭＩを上記ネットワーク側にフィードバックするように配置されている、請求項１１に記載のモバイル端末。
【請求項１３】
ネットワーク側が上りチャネルによりマルチアンテナ重み情報を取得できないと判定した場合、上記予め特定された１つの伝送モードに対応する非周期ＣＱＩフィードバックモードを用いてＰＭＩを上記ネットワーク側にフィードバックするように配置されている、請求項１２に記載のモバイル端末。
【発明の詳細な説明】
【技術分野】
【０００１】
本発明は、ＬＴＥ（長期進化）システム及びＬＴＥ  Ａｄｖａｎｃｅｄ（Ｌｏｎｇ  Ｔｅｒｍ  Ｅｖｏｌｕｔｉｏｎ  Ａｄｖａｎｃｅｄ）システムに関し、特に非周期チャネル品質情報送信方法に関するものである。
【背景技術】
【０００２】
従来、ＬＴＥシステムにおいて、７種類の伝送モードが定義されている。これらの伝送モードは、それぞれ異なるマルチアンテナ処理方式を用いるため、異なるチャネル情報をフィードバックする必要がある。これらの７種類の伝送モードおよびその対応する非周期チャネル品質情報（ＣＱＩ）フィードバックモードは以下の通りである。
【０００３】
伝送モード１（アンテナポート０による単一アンテナ伝送モード）は、非周期ＣＱＩフィードバックモード２−０または３−０を用いる。
伝送モード２（送信ダイバーシチ、Ｔｒａｎｓｍｉｔｔｅｒ  Ｄｉｖｅｒｓｉｔｙ）は、非周期ＣＱＩフィードバックモード２−０または３−０を用いる。
伝送モード３（オープンループ型多重化）は、非周期ＣＱＩフィードバックモード２−０または３−０を用いる。
伝送モード４（クローズドループ型多重化）は、非周期ＣＱＩフィードバックモード１−２、２−２または３−１を用いる。
伝送モード５（多重入出力（ＭＩＭＯ））は、非周期ＣＱＩフィードバックモード３−１を用いる。
伝送モード６（ランク１のクローズドループ型多重化）は、非周期ＣＱＩフィードバックモード１−２、２−２または３−１を用いる。
伝送モード７（アンテナポート５による単一アンテナ伝送モード）は、非周期ＣＱＩフィードバックモード２−０または３−０を用いる。
【０００４】
各非周期ＣＱＩフィードバックモードでのフィードバック事項を表１に示す。
【０００５】
【表１】
2012525020.tif 000003
【０００６】
しかしながら、規格では、ダブルストリームビームの形成（ｄｏｕｂｌｅ  ｓｔｒｅａｍ  ｂｅａｍ  ｆｏｒｍｉｎｇ）に応じた伝送モードが設計されておらず、ダブルストリームビームの形成をサポート可能な非周期ＣＱＩフィードバックモードが明確にされていない。本願は、ダブルストリームビームの形成に応じた伝送モードと非周期ＣＱＩフィードバックモードを設計する。
【発明の概要】
【発明が解決しようとする課題】
【０００７】
本発明は、従来の技術の問題点を解決するために、非周期チャネル品質情報送信方法を提供することにより、ダブルストリームビーム形成マルチアンテナ技術を利用する際に必要なチャネル情報を提供するものである。
【課題を解決するための手段】
【０００８】
上記の問題点を解決するために、本発明は、
モバイル端末とネットワーク側が、ダブルストリームビームの形成をサポートする１又は複種類の伝送モードと、上記伝送モードに対応する非周期チャネル品質情報ＣＱＩフィードバックモードとを予め特定し、
ネットワーク側が、モバイル端末にその利用すべき、予め特定された１つの伝送モードを指示し、上記モバイル端末が、上記伝送モードを利用する旨の指示を受信すると、上記伝送モードに対応する非周期ＣＱＩフィードバックモードを用いてＣＱＩ情報を上記ネットワーク側にフィードバックする、非周期チャネル品質情報送信方法を提供する。
【０００９】
上記方法において、上記モバイル端末は、さらに、上記非周期ＣＱＩフィードバックモードを用いてプリコーディング情報ＰＭＩを上記ネットワーク側にフィードバックする。
【００１０】
また、上記モバイル端末は、上記ネットワーク側が上りチャネルによりマルチアンテナ重み情報を取得できないと判定した場合、上記非周期ＣＱＩフィードバックモードを用いてＰＭＩを上記ネットワーク側にフィードバックする。
【００１１】
上記方法において、上記モバイル端末とネットワーク側は、伝送モード８が、プリコーディング情報のフィードバックが不要であるダブルストリームビーム形成をサポートすること、上記伝送モード８の非周期ＣＱＩフィードバックモードがフィードバックモード２−０またはフィードバックモード３−０であることを予め特定し、
上記モバイル端末は、上記フィードバックモード２−０またはフィードバックモード３−０を用いて第１のストリームのＣＱＩ情報をフィードバックする。
【００１２】
上記方法において、上記モバイル端末とネットワーク側は、伝送モード８が、プリコーディング情報のフィードバックが必要又はプリコーディング情報のフィードバックが不要であるダブルストリームビーム形成をサポートすること、上記伝送モード８の非周期ＣＱＩフィードバックモードがフィードバックモード２−０、フィードバックモード３−０、フィードバックモード１−２、フィードバックモード２−２またはフィードバックモード３−１であることを予め特定し、
上記モバイル端末は、上記フィードバックモード２−０またはフィードバックモード３−０を用いて第１のストリームのＣＱＩ情報をフィードバックするか、或いは上記フィードバックモード１−２、フィードバックモード２−２またはフィードバックモード３−１を用いて各ストリームのＣＱＩ情報、ランクＲＩ情報、ＰＭＩ情報をフィードバックする。
【００１３】
上記方法において、上記モバイル端末とネットワーク側は、伝送モード８が、プリコーディング情報のフィードバックが不要であるダブルストリームビーム形成をサポートすること、伝送モード９が、プリコーディング情報のフィードバックが必要であるダブルストリームビームの形成をサポートすること、及び、上記伝送モード８の非周期ＣＱＩフィードバックモードがフィードバックモード２−０またはフィードバックモード３−０であること、上記伝送モード９の非周期ＣＱＩフィードバックモードがフィードバックモード１−２、フィードバックモード２−２またはフィードバックモード３−１であることを予め特定し、
上記モバイル端末は、上記フィードバックモード２−０またはフィードバックモード３−０を用いて第１のストリームのＣＱＩ情報をフィードバックするか、
或いは、上記フィードバックモード１−２、フィードバックモード２−２またはフィードバックモード３−１を用いて各ストリームのＣＱＩ情報、ランクＲＩ情報、ＰＭＩをフィードバックする。
【００１４】
上記方法において、上記モバイル端末とネットワーク側は、伝送モード８が、プリコーディング情報のフィードバックが必要であるダブルストリームビーム形成をサポートすること、伝送モード９が、プリコーディング情報のフィードバックが不要であるダブルストリームビーム形成をサポートすること、及び、上記伝送モード８の非周期ＣＱＩフィードバックモードがフィードバックモード１−２、フィードバックモード２−２またはフィードバックモード３−１であること、上記伝送モード９の非周期ＣＱＩフィードバックモードがフィードバックモード２−０またはフィードバックモード３−０であることを予め特定し、
上記モバイル端末は、上記フィードバックモード１−２、フィードバックモード２−２またはフィードバックモード３−１を用いて各ストリームのＣＱＩ情報、ランクＲＩ情報、ＰＭＩをフィードバックするか、
或いは、上記フィードバックモード２−０またはフィードバックモード３−０を用いて第１のストリームのＣＱＩ情報をフィードバックする。
【００１５】
上記方法において、上記モバイル端末とネットワーク側は、伝送モード４が、クローズドループ型多重化とプリコーディング情報のフィードバックが必要であるダブルストリームビームの形成とをサポートすること、伝送モード８が、プリコーディング情報のフィードバックが不要であるダブルストリームビーム形成をサポートすること、及び、上記伝送モード４の非周期ＣＱＩフィードバックモードがフィードバックモード１−２、フィードバックモード２−２またはフィードバックモード３−１であること、上記伝送モード８の非周期ＣＱＩフィードバックモードがフィードバックモード２−０またはフィードバックモード３−０となるように予め特定し、
上記モバイル端末は、上記フィードバックモード１−２、フィードバックモード２−２またはフィードバックモード３−１を用いて各ストリームのＣＱＩ情報、ランクＲＩ情報、ＰＭＩをフィードバックするか、
或いは、上記フィードバックモード２−０またはフィードバックモード３−０を用いて第１のストリームのＣＱＩ情報をフィードバックする。
【００１６】
上記方法において、上記モバイル端末とネットワーク側は、伝送モード３が、オープンループ型多重化とＰＭＩフィードバックが不要であるダブルストリームビーム形成とをサポートすること、伝送モード４が、クローズドループ型多重化とＰＭＩフィードバックが必要であるダブルストリームビーム形成をサポートすること、上記伝送モード３の非周期ＣＱＩフィードバックモードがフィードバックモード２−０またはフィードバックモード３−０であること、上記伝送モード４の非周期ＣＱＩフィードバックモードがフィードバックモード１−２、フィードバックモード２−２またはフィードバックモード３−１であることを予め特定し、
上記モバイル端末は、上記フィードバックモード２−０またはフィードバックモード３−０を用いて第１のストリームのＣＱＩ情報をフィードバックするか、
或いは、上記フィードバックモード１−２、フィードバックモード２−２またはフィードバックモード３−１を用いて各ストリームのＣＱＩ情報、ランクＲＩ情報、ＰＭＩをフィードバックする。
【００１７】
上記方法において、上記モバイル端末とネットワーク側は、伝送モード３が、オープンループ型多重化とＰＭＩフィードバックが不要であるダブルストリームビーム形成とをサポートすること、伝送モード８が、ＰＭＩフィードバックが必要であるダブルストリームビームの形成をサポートすること、及び、上記伝送モード３の非周期ＣＱＩフィードバックモードがフィードバックモード２−０またはフィードバックモード３−０であること、上記伝送モード８の非周期ＣＱＩフィードバックモードがフィードバックモード１−２、フィードバックモード２−２またはフィードバックモード３−１であることを予め特定し、
上記モバイル端末は、上記フィードバックモード２−０またはフィードバックモード３−０を用いて第１のストリームのＣＱＩ情報をフィードバックするか、
或いは、上記フィードバックモード１−２、フィードバックモード２−２またはフィードバックモード３−１を用いて各ストリームのＣＱＩ情報、ランクＲＩ情報、ＰＭＩをフィードバックする。
【００１８】
本発明は、非周期チャネル品質情報送信をサポートするモバイル端末であって、ダブルストリームビームの形成をサポートする１または複種類の伝送モードと、上記伝送モードに対応する非周期チャネル品質情報ＣＱＩフィードバックモードとをネットワーク側と予め特定し、
ネットワーク側から、予め特定された１つの伝送モードを利用する旨の指示を受信した後、上記予め特定された１つの伝送モードに対応する非周期ＣＱＩフィードバックモードを用いてＣＱＩ情報を上記ネットワーク側にフィードバックするように配置されたモバイル端末をさらに提供する。
【００１９】
本発明のモバイル端末は、さらに、上記予め特定された１つの伝送モードに対応する非周期ＣＱＩフィードバックモードを用いてプリコーディング情報ＰＭＩを上記ネットワーク側にフィードバックするように配置されてもよい。
【００２０】
本発明のモバイル端末は、ネットワーク側が上りチャネルによりマルチアンテナ重み情報を取得できないと判定した場合、上記予め特定された１つの伝送モードに対応する非周期ＣＱＩフィードバックモードを用いてＰＭＩを上記ネットワーク側にフィードバックするように配置されている。
【発明の効果】
【００２１】
本発明は、従来の技術に対して、以下の利点を有する。
（１）本発明は、２つのストリームのＣＱＩ情報を提供するため、ダブルストリームビームの形成のフィードバック要求をサポートすることができる。
（２）本発明は、如何にＬＴＥでの従来のＣＱＩフィードバックモードによりダブルストリームビームの形成を実現するかを提案しているため、新しいフィードバックモードを追加することなく、シグナリングオーバーヘッドの低減に有利である。
（３）本発明で提案されたフィードバック事項には、ランクのフィードバックが含まれ、ランクが１の場合、単一ストリームが用いられ、ランクが２の場合は、ダブルストリームが用いられるため、単一ストリームビームの形成からダブルストリームビーム、ひいてはマルチストリームビームの形成への変換をサポートすることができる。
（４）本発明は、ＰＭＩフィードバック情報がないＣＱＩフィードバックモードを提案しているため、ＰＭＩがフィードバックされないマルチストリームビームの形成をサポートすることができ、フィードバックオーバーヘッドの低減に有利である。
（５）本発明は、ＰＭＩフィードバック情報付きのＣＱＩフィードバックをさらに提案しているため、ＰＭＩがフィードバックされるマルチストリームビームの形成をサポートすることができ、チャネル情報フィードバックの次元数の増加やシステムのスループット向上に有利である。
【図面の簡単な説明】
【００２２】
【図１】図１は、本発明の非周期チャネル品質情報送信方法のフローチャートである。
【発明を実施するための形態】
【００２３】
本発明の主な思想は、モバイル端末とネットワーク側（本発明では基地局）が、ダブルストリームビーム形成をサポートする１又は複数種類の伝送モードを予め特定し、予め特定した伝送モードに対して非周期ＣＱＩフィードバックモードを配置することである。この非周期ＣＱＩフィードバックモードは、規格の定義された非周期モードを用い、フィードバック事項が、規格で規定されたものと同一であり、少なくともＣＱＩ情報を含むべきである。端末により、ネットワーク側がチャネル相互関係（Ｃｈａｎｎｅｌ  Ｒｅｃｉｐｒｏｃｉｔｙ）によりマルチアンテナ重み情報を取得できない（すなわち、上りと下りチャネル情報に大きな差があり、上りチャネル情報によりマルチアンテナ処理の重みを取得できない）ことが判定された場合、この非周期ＣＱＩフィードバックモードには、ランクによってそれぞれの列のプリコーディング行列を選択して利用するＰＭＩ情報が含まれる必要もある。
【００２４】
また、非周期ＣＱＩフィードバックモードでフィードバックされる各ストリームのＣＱＩ情報は、ｗｉｄｅｂａｎｄ（全帯域幅）とｓｕｂｂａｎｄ（サブ帯域）のＣＱＩ情報を含む。
【００２５】
ＲＩ情報は、ダブルストリームビームの形成のためにフィードバックすべき利用可能な層数である。
【実施例】
【００２６】
以下、具体的な実施例に基づいて本発明をより詳細に説明する。
【００２７】
実施例１
ＬＴＥ  ｒｅｌｅａｓｅ  ９．０とＬＴＥ  Ａｄｖａｎｃｅｄシステムに適応する、ダブルストリームビームの形成をサポートする非周期的ＣＱＩ送信方法。
【００２８】
この方法において、ダブルストリームビームの形成をサポートしプリコーディング情報のフィードバックが不要である伝送モード８を予め特定し、この伝送モード８に対応し第１のストリームのＣＱＩ情報を含む非周期ＣＱＩフィードバックモード２−０および３−０を特定する。
【００２９】
従来のＣＱＩフィードバックモード２−０、３−０は本実施例の伝送モード８のマルチストリーム・フィードバックをサポートしないため、本実施例において、従来のフィードバックモード２−０、３−０に、伝送モード８での第１のストリームのＣＱＩ情報のフィードバックが追加されている。具体的に、本実施例の非周期ＣＱＩフィードバックモード２−０、３−０でフィードバックされるものを表２に示す。
【００３０】
【表２】
2012525020.tif 000004
【００３１】
上記予め特定した後、ネットワーク側は、上位層シグナリングにより、モバイル端末にアクセスするユーザが利用すべき伝送モード（本実施例では伝送モード８）を指示し、モバイル端末は、受信した指示に基づいて、該伝送モード８に対応する非周期ＣＱＩフィードバックモード２−０または３−０を利用し、ＣＱＩ情報をネットワーク側にフィードバックし、ネットワーク側は、これらの情報に基づいて、下り送信されるＭＣＳ（変調符号化方式）またはマルチアンテナ重み情報を配置し、サービスデータを送信する。
【００３２】
実施例２
ＬＴＥ  ｒｅｌｅａｓｅ  ９．０とＬＴＥ  Ａｄｖａｎｃｅｄシステムに適応する、ダブルストリームビームの形成をサポートする非周期的ＣＱＩ送信方法。
【００３３】
この方法において、プリコーディング情報のフィードバックが必要である、及びプリコーディング情報のフィードバックが不要であるダブルストリームビームの形成をサポートする伝送モード８を予め特定し、この伝送モード８に対応し少なくともＣＱＩ情報を含む非周期ＣＱＩフィードバックモード２−０、３−０、１−２、２−２、３−１を特定する。
【００３４】
本実施例の非周期ＣＱＩフィードバックモード２−０、３−０は、従来の非周期ＣＱＩフィードバックモード２−０、３−０に、伝送モード８でのそれぞれのＲＩによる第１のストリームのＣＱＩ情報のフィードバックを追加したものである。具体的に、本実施例の非周期ＣＱＩフィードバックモード２−０、３−０でフィードバックされるものを表３に示す。
【００３５】
同様に、従来のＣＱＩフィードバックモード１−２、２−２、３−１は本実施例の伝送モード８のマルチストリーム・フィードバックをサポートしないため、本実施例では、従来の非周期ＣＱＩフィードバックモード１−２、２−２、３−１のもとに、それぞれのＲＩ値に応じて複数のストリームのＣＱＩ情報をフィードバックする。具体的に、本実施例の非周期ＣＱＩフィードバックモード１−２、２−２、３−１でフィードバックされるものは、表３に示すように、規格３ＧＰＰＴＳ  ３６．２１３  ７．２．１のものと同じである。
【００３６】
【表３】
2012525020.tif 000005
【００３７】
上記予め特定した後、ネットワーク側は、上位層シグナリングにより、モバイル端末にアクセスするユーザが利用すべき伝送モード（本実施例では伝送モード８）を指示し、モバイル端末は、当該指示を受信した後、実際の状況に応じて、本実施例の伝送モード８に対応する非周期ＣＱＩフィードバックモード２−０、３−０、１−２、２−２または３−１を利用してＲＩ情報とＣＱＩ情報をネットワーク側に送信する。具体的に、モバイル端末は、ネットワーク側が上りチャネルの相互関係(reciprocity)によってマルチアンテナ重み情報を取得できないと判定した場合、非周期ＣＱＩフィードバックモード１−２、２−２または３−１を用いて、ＲＩ情報と２つのストリームのＣＱＩ情報に加えて、ＰＭＩ情報をネットワーク側にフィードバックし、ネットワーク側が上りチャネルの相互関係によってマルチアンテナ重み情報を取得できると判定した場合には、非周期ＣＱＩフィードバックモード２−０または３−０を用いて第１のストリームのＣＱＩ情報をネットワーク側にフィードバックする。ネットワーク側は、これらの情報に基づいて、下り送信されるＭＣＳ（変調符号化方式）またはマルチアンテナ重み情報を配置し、サービスデータを送信する。
【００３８】
実施例３
ＬＴＥ  ｒｅｌｅａｓｅ  ９．０とＬＴＥ  Ａｄｖａｎｃｅｄシステムに適応する、ダブルストリームビームの形成をサポートする非周期的ＣＱＩ送信方法。
【００３９】
この方法において、ダブルストリームビームの形成をサポートしプリコーディング情報のフィードバックが不要である伝送モード８と、ダブルストリームビームの形成をサポートしプリコーディング情報のフィードバックが必要である伝送モード９を予め約定し、本実施例の伝送モード８に対応する非周期ＣＱＩフィードバックモード２−０、３−０を約定し、本実施例の伝送モード９に対応する非周期ＣＱＩフィードバックモード１−２、２−２、３−１を約定する。なお、伝送モード８と伝送モード９は、本発明で定義された名称に過ぎず、それらに対応する内容とフィードバックモードが互いに置き換え可能である。
【００４０】
また、上記非周期ＣＱＩフィードバックモード２−０、３−０、１−２、２−２、３−１には、少なくともＲＩ情報と２つのストリームのＣＱＩ情報が含まれる。
【００４１】
上記非周期ＣＱＩフィードバックモード２−０、３−０は、従来の非周期ＣＱＩフィードバックモード２−０、３−０のもとに、第１のストリームのＣＱＩ情報をフィードバックするものである。具体的に、本実施例の非周期ＣＱＩフィードバックモード２−０、３−０でフィードバックされるものを表４に示す。
【００４２】
また、上記非周期ＣＱＩフィードバックモード１−２、２−２、３−１は、従来の非周期ＣＱＩフィードバックモード１−２、２−２、３−１のもとに、それぞれのＲＩ値に応じて複数ストリームのＣＱＩ情報をフィードバックするものである。具体的に、本実施例の非周期ＣＱＩフィードバックモード１−２、２−２、３−１でフィードバックされるものを表４に示す。
【００４３】
【表４】
2012525020.tif 000006
【００４４】
上記予め特定した後、ネットワーク側は、上位層シグナリングにより、モバイル端末にアクセスするユーザが利用すべき伝送モード（たとえば、伝送モード８）を指示し、モバイル端末は、当該指示を受信した後、実際の状況に応じて、本実施例の伝送モード８に対応する非周期ＣＱＩフィードバックモード２−０または３−０を用いてＣＱＩ情報をネットワーク側にフィードバックし、ネットワーク側は、これらの情報に基づいて、下り送信されるＭＣＳ（変調符号化方式）またはマルチアンテナ重み情報を配置し、サービスデータを送信する。
【００４５】
或いは、ネットワーク側は、上位層シグナリングにより、モバイル端末にアクセスするユーザが利用すべき伝送モード（たとえば、伝送モード９）を指示し、モバイル端末は、当該指示を受信した後、実際の状況に応じて、本実施例の伝送モード９に対応する非周期ＣＱＩフィードバックモード１−２、２−２または３−１を用いてＲＩ情報、２つのストリームのＣＱＩ情報、ＰＭＩ情報をネットワーク側にフィードバックし、ネットワーク側は、これらの情報に基づいて、下り送信されるＭＣＳ（変調符号化方式）またはマルチアンテナ重み情報を配置し、サービスデータを送信する。
【００４６】
実施例４
ＬＴＥ  ｒｅｌｅａｓｅ  ９．０とＬＴＥ  Ａｄｖａｎｃｅｄシステムに適応する、ダブルストリームビームの形成をサポートする非周期的ＣＱＩ送信方法。
【００４７】
ダブルストリームビームの形成は、上りと下りチャネルの相違により、上りチャネルの相互関係によるマルチアンテナ重み情報の取得と、モバイル端末によるＰＭＩ（プリコーディング情報）のフィードバックとの両方をサポートすることができる。モバイル端末によりＰＭＩがフィードバックされるマルチストリームビームの形成には、複数のストリームのＣＱＩとＰＭＩのフィードバックが必要で、そのフィードバックされるものが、クローズドループ型多重化フィードバックモードに含まれるものと同じであるため、本実施例では、伝送モードの定義を少なくするように、モバイル端末によりＰＭＩがフィードバックされるマルチストリームビームの形成が、伝送モード４に組み込まれる。すなわち、ＬＴＥ物理層規格において伝送モード４の内容が変更される。
【００４８】
この方法において、新規の伝送モード４を、クローズドループ型多重化とモバイル端末によりＰＭＩがフィードバックされるダブルストリームビームの形成とをサポートする伝送モードとして予め特定すると共に、ダブルストリームビームの形成をサポートしプリコーディング情報のフィードバックが不要である伝送モード８を予め特定し、新規に定義された伝送モード４に対応する非周期ＣＱＩフィードバックモード１−２、２−２、３−１を特定し、本実施例の伝送モード８に対応する非周期ＣＱＩフィードバックモード２−０、３−０を特定する。
【００４９】
また、上記非周期ＣＱＩフィードバックモード２−０、３−０、１−２、２−２、３−１には、少なくともＲＩ情報と２つのストリームのＣＱＩ情報が含まれる。
【００５０】
従来のＣＱＩフィードバックモード２−０、３−０は、本実施例の伝送モード８のマルチストリームフィードバックをサポートしないため、本実施例の非周期ＣＱＩフィードバックモード２−０、３−０は、従来の非周期ＣＱＩフィードバックモード２−０、３−０のもとに、第１のストリームのＣＱＩ情報をフィードバックするものである。具体的に、本実施例の非周期ＣＱＩフィードバックモード２−０、３−０でフィードバックされるものを表５に示す。
【００５１】
同様に、従来の非周期ＣＱＩフィードバックモード１−２、２−２、３−１は、本実施例の伝送モード４のマルチストリームフィードバックをサポートしないため、本実施例では、従来の非周期ＣＱＩフィードバックモード１−２、２−２、３−１のもとに、それぞれのＲＩ値に応じて複数ストリームのＣＱＩ情報をフィードバックする。具体的に、本実施例の非周期ＣＱＩフィードバックモード１−２、２−２、３−１でフィードバックされるものを表５に示す。
【００５２】
【表５】
2012525020.tif 000007
【００５３】
上記予め特定した後、ネットワーク側が、本実施例の伝送モード４を利用するようモバイル端末に指示する場合、モバイル端末は、当該指示を受信した後、本実施例の伝送モード４に対応する非周期ＣＱＩフィードバックモード１−２、２−２または３−１を用いて各ストリームのＣＱＩ情報、ランクＲＩ情報、ＰＭＩをネットワーク側にフィードバックする。
【００５４】
ネットワーク側が、本実施例の伝送モード８を利用するようモバイル端末に指示する場合、モバイル端末は、当該指示を受信した後、本実施例の伝送モード８に対応する非周期ＣＱＩフィードバックモード２−０または３−０を用いて第１のストリームのＣＱＩ情報をネットワーク側にフィードバックする。
【００５５】
実施例５
ＬＴＥ  ｒｅｌｅａｓｅ  ９．０とＬＴＥ  Ａｄｖａｎｃｅｄシステムに適応する、ダブルストリームビームの形成をサポートする非周期的ＣＱＩ送信方法。
【００５６】
ダブルストリームビームの形成は、上りチャネルの相互関係によるマルチアンテナ重み情報の取得もサポートするため、本実施例では、伝送モードの定義を少なくするように、モバイル端末によるＰＭＩフィードバックが不要であるマルチストリームビームの形成を、伝送モード３に組み込むことができる。すなわち、ＬＴＥ物理層規格において伝送モード３の内容が変更される。
【００５７】
また、モバイル端末によるＰＭＩフィードバックが必要であるマルチストリームビームの形成では、本実施例において、伝送モードの定義を少なくするように、モバイル端末によりＰＭＩがフィードバックされるマルチストリームビームの形成を、伝送モード４に組み込むことができる。すなわち、ＬＴＥ物理層規格において伝送モード４の内容が変更される。
【００５８】
この方法において、新規の伝送モード３を、オープンループ型多重化とＰＭＩフィードバックが不要であるダブルストリームビームの形成とをサポートする伝送モードとして予め特定し、新規の伝送モード４を、クローズドループ型多重化とＰＭＩフィードバックが必要であるダブルストリームビームの形成とをサポートする伝送モードとして予め特定し、本実施例の伝送モード３に対応する非周期ＣＱＩフィードバックモード２−０、３−０を特定し、本実施例の伝送モード４に対応する非周期ＣＱＩフィードバックモード１−２、２−２、３−１を特定する。
【００５９】
また、上記非周期ＣＱＩフィードバックモード２−０、３−０、１−２、２−２、３−１には、少なくともＣＱＩ情報が含まれる。
【００６０】
従来のＣＱＩフィードバックモード２−０、３−０は、本実施例の伝送モード３のマルチストリームフィードバックをサポートしないため、本実施例の非周期ＣＱＩフィードバックモード２−０、３−０は、従来の非周期ＣＱＩフィードバックモード２−０、３−０のもとに、第１のストリームのＣＱＩ情報をフィードバックするものである。
【００６１】
同様に、従来の非周期ＣＱＩフィードバックモード１−２、２−２、３−１は、本実施例の伝送モード４のマルチストリームフィードバックをサポートしないため、本実施例では、従来の非周期ＣＱＩフィードバックモード１−２、２−２、３−１のもとに、それぞれのＲＩ値に応じて複数ストリームのＣＱＩ情報をフィードバックする。
【００６２】
また、本実施例では、伝送モード３、４に対応する非周期ＣＱＩフィードバックモードのいずれもＲＩが報告されるため、単一ストリーム形成とダブルストリーム形成との切り替えをサポートすることもできる。
【００６３】
上記予め特定した後、ネットワーク側が、本実施例の伝送モード３を利用するようモバイル端末に指示する場合、モバイル端末は、当該指示を受信した後、本実施例の伝送モード３に対応する非周期ＣＱＩフィードバックモード２−０または３−０を用いて各ストリームのＣＱＩ情報、ランクＲＩ情報をネットワーク側にフィードバックする。
【００６４】
ネットワーク側が、本実施例の伝送モード４を利用するようモバイル端末に指示する場合、モバイル端末は、当該指示を受信した後、本実施例の伝送モード４に対応する非周期ＣＱＩフィードバックモード１−２、２−２または３−１を用いて各ストリームのＣＱＩ情報、ランクＲＩ情報、ＰＭＩをネットワーク側にフィードバックする。
【００６５】
実施例６
ＬＴＥ  ｒｅｌｅａｓｅ  ９．０とＬＴＥ  Ａｄｖａｎｃｅｄシステムに適応する、ダブルストリームビームの形成をサポートする非周期的ＣＱＩ送信方法。
【００６６】
ダブルストリームビームの形成は、上りチャネルの相互関係によるマルチアンテナ重み情報の取得もサポートするため、本実施例では、伝送モードの定義を少なくするように、モバイル端末によるＰＭＩフィードバックが不要であるマルチストリームビームの形成を、伝送モード３に組み込むことができる。すなわち、ＬＴＥ物理層規格において伝送モード３の内容が変更される。
【００６７】
また、ＰＭＩがフィードバックされないダブルストリームビームの形成を、新規の伝送モード８として定義する。
【００６８】
この方法において、新規の伝送モード３を、オープンループ型多重化とＰＭＩフィードバックが不要であるダブルストリームビームの形成とをサポートする伝送モードとして予め特定し、伝送モード８を、ＰＭＩフィードバックが必要であるダブルストリームビームの形成をサポートする伝送モードとして予め特定し、新規に定義された伝送モード３に対応する非周期ＣＱＩフィードバックモード２−０、３−０を特定し、本実施例の伝送モード８に対応する非周期ＣＱＩフィードバックモード１−２、２−２、３−１を特定する。
【００６９】
また、上記非周期ＣＱＩフィードバックモード２−０、３−０、１−２、２−２、３−１には、少なくともＲＩ情報と２つのストリームのＣＱＩ情報が含まれる。
【００７０】
従来のＣＱＩフィードバックモード２−０、３−０は、本実施例の伝送モード３のマルチストリームフィードバックをサポートしないため、本実施例の非周期ＣＱＩフィードバックモード２−０、３−０は、従来の非周期ＣＱＩフィードバックモード２−０、３−０のもとに、それぞれのＲＩ値に応じて複数のストリームのＣＱＩ情報をフィードバックするものである。
【００７１】
同様に、従来の非周期ＣＱＩフィードバックモード１−２、２−２、３−１は、本実施例の伝送モード８のマルチストリームフィードバックをサポートしないため、本実施例では、従来の非周期ＣＱＩフィードバックモード１−２、２−２、３−１のもとに、それぞれのＲＩ値に応じて複数のストリームのＣＱＩ情報をフィードバックする。
【００７２】
上記予め特定した後、ネットワーク側が、本実施例の伝送モード３を利用するようモバイル端末に指示する場合、モバイル端末は、当該指示を受信した後、本実施例の伝送モード３に対応する非周期ＣＱＩフィードバックモード２−０または３−０を用いて各ストリームのＣＱＩ情報、ランクＲＩ情報をネットワーク側にフィードバックする。
【００７３】
ネットワーク側が、本実施例の伝送モード８を利用するようモバイル端末に指示する場合、モバイル端末は、当該指示を受信した後、本実施例の伝送モード８に対応する非周期ＣＱＩフィードバックモード１−２、２−２または３−１を用いて各ストリームのＣＱＩ情報、ランクＲＩ情報、ＰＭＩをネットワーク側にフィードバックする。
【００７４】
実施例７
非周期チャネル品質情報送信をサポートするモバイル端末であって、ダブルストリームビームの形成をサポートする１または複種類の伝送モードと、当該伝送モードに対応する非周期チャネル品質情報ＣＱＩフィードバックモードとをネットワーク側と予め特定し、
ネットワーク側から、予め特定された１つの伝送モードを利用する旨の指示を受信した後、上記予め特定された１つの伝送モードに対応する非周期ＣＱＩフィードバックモードを用いてＣＱＩ情報を上記ネットワーク側にフィードバックする、モバイル端末。
【００７５】
本発明のモバイル端末は、さらに、上記予め特定された１つの伝送モードに対応する非周期ＣＱＩフィードバックモードを用いてプリコーディング情報ＰＭＩを上記ネットワーク側にフィードバックする。
【００７６】
本発明のモバイル端末は、ネットワーク側が上りチャネルによりマルチアンテナ重み情報を取得できないと判定した場合、上記予め特定された１つの伝送モードに対応する非周期ＣＱＩフィードバックモードを用いてＰＭＩを上記ネットワーク側にフィードバックする。
【００７７】
上記実施例から分かるように、本発明は、２つのストリームのＣＱＩ情報を提供するため、ダブルストリームビームの形成のフィードバック要求をサポートすることができる。また、本発明は、ダブルストリームビームの形成のフィードバックモードとしてＬＴＥでの従来のＣＱＩフィードバックモードを用いることができると提案しているため、新しいフィードバックモードを追加することなく、シグナリングオーバーヘッドの低減に有利である。本発明で提案されたフィードバック事項には、ランクのフィードバックが含まれ、ランクが１の場合、単一ストリームが用いられ、ランクが２の場合は、ダブルストリームが用いられるため、単一ストリームビームの形成からダブルストリームビームの形成、ひいてはマルチストリームビームの形成への変換をサポートすることができる。本発明は、ＰＭＩフィードバック情報がないＣＱＩフィードバックモードを提案しているため、ＰＭＩがフィードバックされないマルチストリームビームの形成をサポートすることができ、フィードバックオーバーヘッドの低減に有利である。また、本発明では、ＰＭＩフィードバック情報付きのＣＱＩフィードバックも提案されているため、ＰＭＩがフィードバックされるマルチストリームビームの形成をサポートすることができ、チャネル情報フィードバックの次元数の増加やシステムのスループット向上に有利である。
【００７８】
以上は、本発明の好適な実施例に過ぎず、本発明を限定するものではない。当業者であれば、本発明の様々な変更や変形が可能である。本発明の精神や原則を逸脱しない如何なる変更、置換、改良なども本発明の保護範囲内に包含される。
【産業上の利用可能性】
【００７９】
本発明は、従来の技術と比較すると、ダブルストリームビームの形成のフィードバック要求をサポートすることができ、新しいフィードバックモードを追加することなく、シグナリングオーバーヘッドの低減に有利であり、単一ストリームビームの形成からダブルストリームビームの形成、ひいてはマルチストリームビームの形成への変換をサポートすることができ、ＰＭＩがフィードバックされないマルチストリームビームの形成をサポートすることができ、フィードバックオーバーヘッドの低減に有利であり、ＰＭＩがフィードバックされるマルチストリームビームの形成をサポートすることもでき、チャネル情報フィードバックの次元数の増加やシステムのスループット向上に有利である。
【図１】
2012525020.tif 000008
【国際調査報告】
2012525020.tif 000009
2012525020.tif 000010
2012525020.tif 000011
2012525020.tif 000012